(57)【要約】【課題】  オーディオ信号に有する音響効果を失わずに、２つのオーディオ信号を同時に出力することができるマルチチャンネル再生装置を提供する。【解決手段】  入力部から入力された第１及び第２のオーディオストリームデータから４チャンネルの１オーディオストリームデータを生成する生成部と、生成された４チャンネルの１オーディオストリームデータを各チャンネルに対応した４つのオーディオストリームデータに分離する信号処理を施す信号処理部と、４つのオーディオストリームデータをアナログ信号に変換する変換部と、変換された４チャンネルのアナログ信号を増幅する増幅部と、増幅された４チャンネルのアナログ信号を出力する出力部とを備える。【選択図】  図１
2006261724.tif 000002
【特許請求の範囲】
【請求項１】
オーディオストリームデータを入力する入力部と、
前記入力部から入力された第１のオーディオストリームデータと第２のオーディオストリームデータから４チャンネルの１オーディオストリームデータを生成する生成部と、
前記生成部により生成された４チャンネルの１オーディオストリームデータを各チャンネルに対応した４つのオーディオストリームデータに分離する信号処理を施す信号処理部と、
前記４つのオーディオストリームデータをアナログオーディオ信号に変換する変換部と、
前記変換部により変換された４チャンネルのアナログオーディオ信号を増幅する増幅部と、
前記増幅部により増幅された４チャンネルのアナログオーディオ信号を出力する出力部とを備えることを特徴とするマルチチャンネル再生装置。
【請求項２】
請求項１記載のマルチチャンネル再生装置において、
前記生成部は、前記入力部から入力された２チャンネルの第１のオーディオストリームデータを各々のチャンネルに対応するオーディオストリームデータに分離する信号処理を施す第１の信号処理部と、
前記入力部から入力された２チャンネルの第２のオーディオストリームデータを各々のチャンネルに対応するオーディオストリームデータに分離する信号処理を施す第２の信号処理部と、
前記第１の信号処理部及び前記第２の信号処理部により分離されたオーディオストリームデータを予め定められたチャンネルとし、４チャンネルの１オーディオストリームデータにエンコードするエンコード部とを備えることを特徴とするマルチチャンネル再生装置。
【請求項３】
請求項１記載のマルチチャンネル再生装置において、
前記生成部は、前記入力部から入力されたマルチチャンネルの第１のオーディオストリームデータを２チャンネルのオーディオストリームデータにダウンミックスし各々のチャンネルに対応するオーディオストリームデータに分離する信号処理を施す第１の信号処理部と、
前記入力部から入力されたマルチチャンネルの第２のオーディオストリームデータを２チャンネルのオーディオストリームデータにダウンミックスし各々のチャンネルに対応するオーディオストリームデータに分離する信号処理を施す第２の信号処理部と、
前記第１の信号処理部及び前記第２の信号処理部により分離されたオーディオストリームデータを予め定められたチャンネルとし、４チャンネルの１オーディオストリームデータにエンコードするエンコード部とを備えることを特徴とするマルチチャンネル再生装置。
【発明の詳細な説明】
【技術分野】
【０００１】
本発明は、マルチチャンネルのオーディオ信号を出力するマルチチャンネル再生装置に関する。
【背景技術】
【０００２】
２つのオーディオ信号を同時に出力する再生装置として、特許文献１に開示された情報再生装置がある。特許文献１に開示された情報再生装置は、２つの２チャンネルのステレオオーディオ信号のうち、一方の２チャンネルのステレオオーディオ信号をミキシングすることによりモノラルオーディオ信号に変換し、変換したモノラルオーディオ信号を右チャンネルのオーディオ信号として出力する。同様に、他方の２チャンネルのステレオオーディオ信号をミキシングすることよりモノラルオーディオ信号に変換し、変換したモノラルオーディオ信号を左チャンネルのオーディオ信号として出力する。
【０００３】
変換された右チャンネル及び左チャンネルのモノラルオーディオ信号は、情報再生装置に接続された２つのスピーカから出力されるので、聴取者は、２つの異なるモノラルオーディオ信号を同時に聴取することができる。あるいは、複数の聴取者によって、別々の場所に設置されたスピーカから出力された右チャンネル又は左チャンネルのモノラルオーディオ信号を同時に聴取することができる。
【０００４】
【特許文献１】特開２０００−２２８０５４号公報
【発明の開示】
【発明が解決しようとする課題】
【０００５】
特許文献１に開示されている情報再生装置では、２つのオーディオ信号を同時に出力するために、ミキシングを行ない２チャンネルのステレオオーディオ信号をモノラルオーディオ信号に変換する。このため、変換されたモノラルオーディオ信号は、変換する前の２チャンネルのステレオオーディオ信号が有するステレオ音響効果等を失ってしまう問題がある。
【０００６】
また、２つのオーディオ信号が３チャンネル以上のマルチチャンネルのオーディオ信号の場合も、同様にミキシングされモノラルオーディオ信号に変換される。このため、聴取者は、マルチチャンネルのオーディオ信号をモノラルオーディオ信号で聴取することになり、マルチチャンネルのオーディオ信号が有する音響効果を失ってしまう問題もある。
【０００７】
本発明は、上記の課題を解決するためになされたものであり、オーディオ信号が有する音響効果を失わずに、２つのオーディオ信号を同時に出力することができるマルチチャンネル再生装置を提供することを目的とする。
【課題を解決するための手段】
【０００８】
上記の課題を解決するために、本願の請求項１記載の発明は、オーディオストリームデータを入力する入力部と、前記入力部から入力された第１のオーディオストリームデータと第２のオーディオストリームデータから４チャンネルの１オーディオストリームデータを生成する生成部と、前記生成部により生成された４チャンネルの１オーディオストリームデータを各チャンネルに対応した４つのオーディオストリームデータに分離する信号処理を施す信号処理部と、前記４つのオーディオストリームデータをアナログオーディオ信号に変換する変換部と、前記変換部により変換された４チャンネルのアナログオーディオ信号を増幅する増幅部と、前記増幅部により増幅された４チャンネルのアナログオーディオ信号を出力する出力部とを備えることを特徴とする。
【０００９】
また、本願の請求項２記載に発明は、請求項１記載のマルチチャンネル再生装置において、前記生成部は、前記入力部から入力された２チャンネルの第１のオーディオストリームデータを各々のチャンネルに対応するオーディオストリームデータに分離する信号処理を施す第１の信号処理部と、前記入力部から入力された２チャンネルの第２のオーディオストリームデータを各々のチャンネルに対応するオーディオストリームデータに分離する信号処理を施す第２の信号処理部と、前記第１の信号処理部及び前記第２の信号処理部により分離されたオーディオストリームデータを予め定められたチャンネルとし、４チャンネルの１オーディオストリームデータにエンコードするエンコード部とを備えることを特徴とする。
【００１０】
また、本願の請求項３記載に発明は、請求項１記載のマルチチャンネル再生装置において、前記生成部は、前記入力部から入力されたマルチチャンネルの第１のオーディオストリームデータを２チャンネルのオーディオストリームデータにダウンミックスし各々のチャンネルに対応するオーディオストリームデータに分離する信号処理を施す第１の信号処理部と、前記入力部から入力されたマルチチャンネルの第２のオーディオストリームデータを２チャンネルのオーディオストリームデータにダウンミックスし各々のチャンネルに対応するオーディオストリームデータに分離する信号処理を施す第２の信号処理部と、前記第１の信号処理部及び前記第２の信号処理部により分離されたオーディオストリームデータを予め定められたチャンネルとし、４チャンネルの１オーディオストリームデータにエンコードするエンコード部とを備えることを特徴とする。
【発明の効果】
【００１１】
本発明の光ディスク再生装置によれば、オーディオ信号が有する音響効果を失わずに、２つのオーディオ信号を同時に出力することができるマルチチャンネル再生装置を提供することができる。
【発明を実施するための最良の形態】
【００１２】
以下、本発明の実施の形態を図面に基づいて説明する。
図１は、本発明の一実施例のマルチチャンネル再生装置の構成を示すブロック図である。図１において、１は本実施例のマルチチャンネル再生装置、２は入力部、２a及び２ｂは入力端子、３は入力セレクタ、４は切替スイッチ、５は生成部、６はDSP（Digital Signal Processor）、７〜１２はDAC（Digital to Analog Converter）、１３は増幅部、１４は出力部、１４ａ〜１４ｆは出力端子、１５は操作部、１６は制御部、２１〜２６は本実施例のマルチチャンネル再生装置１に接続したスピーカを示す。本発明の一実施例のマルチャンネル再生装置として、例えばAV（Audio Visual）アンプがある。
【００１３】
図１に示す入力部２は、マルチチャンネルのデジタルオーディオ信号（例えば、デジタルオーディオストリームデータ）を入力する入力端子を備えている。本実施例のマルチチャンネル再生装置では、入力部２に入力端子２ａ及び入力端子２ｂを備える。入力セレクタ３は、入力端子２a又は入力端子２ｂのどちらか一方から入力されたデジタルオーディオ信号を切替スイッチ４に入力するセレクタ３aと、入力端子２ａ又は入力端子２ｂのどちらか一方から入力されたデジタルオーディオ信号を生成部５に入力するセレクタ３ｂを備える。
【００１４】
切替スイッチ４は、入力セレクタ３のセレクタ３ａから入力されたデジタルオーディオ信号の出力先を生成部５又はDSP６に切り換える。生成部５は、入力セレクタ３のセレクタ３ｂから入力されたデジタルオーディオ信号と切替スイッチ４から入力されたデジタルオーディオ信号から４チャンネルのデジタルオーディオ信号を生成し、生成したデジタルオーディオ信号をDSP６へ出力する。
【００１５】
DSP６は、入力されたデジタルオーディオ信号に応じたデジタルサラウンドフォーマットのデコード処理、各チャンネルに対応したデジタルオーディオ信号に分離する信号処理等を施す信号処理部である。DSP６により各チャンネルに分離されたデジタルオーディオ信号は、DAC７〜１２に入力される。
【００１６】
DAC７〜１２は、入力されたデジタルオーディオ信号をアナログオーディオ信号に変換し増幅部１３に入力する。増幅部１３は、入力されたアナログオーディオ信号を増幅し出力部１４に入力する。出力部１４は、各チャンネルのアナログオーディオ信号を出力する出力端子を備えている。本実施例のマルチチャンネル再生装置では、出力部１４に６つの出力端子１４ａ〜１４ｆを備える。
【００１７】
DSP６は、入力されたデジタルオーディオ信号が５．１チャンネルのデジタルオーディオストリームデータである場合、FRch（Front Right Channel）、FLch（Front Right Channel）、Cch（Center Channel）、SRch（Surround Right Channel）、SLch（Surround Right Channel）及びSWch（Sub Woofer Channel）のデジタルオーディオストリームデータに分離する。FRchのデジタルオーディオストリームデータは、DAC７によりアナログオーディオ信号に変換された後、増幅部１３及び出力部１４を介して、出力端子１４ａに接続されたFRchスピーカ２１から出力される。
【００１８】
FLchのデジタルオーディオストリームデータは、DAC８によりアナログオーディオ信号に変換された後、増幅部１３及び出力部１４を介して、出力端子１４ｂに接続されたFLchスピーカ２２から出力される。Cchのデジタルオーディオストリームデータは、DAC９によりアナログオーディオ信号に変換された後、増幅部１３及び出力部１４を介して、出力端子１４ｃに接続されたCchスピーカ２３から出力される。SRchのデジタルオーディオストリームデータは、DAC１０によりアナログオーディオ信号に変換された後、増幅部１３及び出力部１４を介して、出力端子１４ｄに接続されたSRchスピーカ２４から出力される。SLchのデジタルオーディオストリームデータは、DAC１１によりアナログオーディオ信号に変換された後、増幅部１３及び出力部１４を介して、出力端子１４ｅに接続されたSLchスピーカ２５から出力される。SWchのデジタルオーディオストリームデータは、DAC１２によりアナログオーディオ信号に変換された後、増幅部１３及び出力部１４を介して、出力端子１４ｆに接続されたSWchスピーカ２６から出力される。
【００１９】
また、DSP６は、入力されたデジタルオーディオ信号が２チャンネルのデジタルオーディオストリームデータである場合、FRch及びFLchのデジタルオーディオストリームデータに分離する。FRchのデジタルオーディオストリームデータは、DAC７によりアナログオーディオ信号に変換された後、増幅部１３及び出力部１４を介して、出力端子１４ａに接続されたFRchスピーカ２１から出力される。FLchのデジタルオーディオストリームデータは、DAC８によりアナログオーディオ信号に変換された後、増幅部１３及び出力部１４を介して、出力端子１４ｂに接続されたFLchスピーカ２２から出力される。
【００２０】
操作部１５は、入力セレクタ３のセレクタ３ａ及びセレクタ３ｂの操作指示、切替スイッチ４の操作指示等の入力をする。制御部１６は、操作部１５から入力された操作指示に基づいて入力セレクタ３、切替スイッチ４、DSP６などマルチチャンネル再生装置１全体を統括的に制御する。
【００２１】
本実施例のマルチチャンネル再生装置１において、入力されたマルチチャンネルのデジタルオーディオストリームデータを再生する入力セレクタ３及び切替スイッチ４の動作を説明する。図２及び図３は、入力セレクタ３及び切替スイッチ４の動作状態を説明する図である。図２は、入力端子２ａから入力されたマルチチャンネルのデジタルオーディオストリームデータを再生するときの、入力セレクタ３及び切替スイッチ４の動作状態を示す。図３は、入力端子２ｂから入力されたマルチチャンネルのデジタルオーディオストリームデータを再生するときの、入力セレクタ３及び切替スイッチ４の動作状態を示す。
【００２２】
図２において、入力端子２ａからマルチチャンネルのデジタルオーディオストリームデータを入力するために、操作部１５から、入力セレクタ３及び切替スイッチ４の操作指示が入力される。図２に示すように制御部１６は、当該操作指示に基づいて、入力セレクタ３にセレクタ３ａが入力端子２ａと切替スイッチ４を接続する制御をし、セレクタ３ｂが入力端子２ａ及び入力端子２ｂと生成部５を接続しない制御をする。また、制御部１６は、入力セレクタ３のセレクタ３ａとDSP６を接続するように切替スイッチ４を制御する。このような制御をすることにより、入力端子２ａから入力されたマルチチャンネルのデジタルオーディオストリームデータはDSP６に入力され、DSP６により各々のチャンネルに対応したデジタルオーディオストリームデータに分離する信号処理等を施され、DAC７〜１２、増幅部１３及び出力部１４を介してスピーカ２１〜２６から出力される。
【００２３】
図３において、入力端子２ｂからマルチチャンネルのデジタルオーディオストリームデータを入力するために、操作部１５から、入力セレクタ３及び切替スイッチ４の操作指示が入力される。図３に示すように制御部１６は、当該操作指示に基づいて、入力セレクタ３にセレクタ３ａが入力端子２ｂと切替スイッチ４を接続する制御をし、セレクタ３ｂが入力端子２ａ及び入力端子２ｂと生成部５を接続しない制御をする。また、制御部１６は、入力セレクタ３のセレクタ３ａとDSP６を接続するように切替スイッチ４を制御する。このような制御をすることにより、入力端子２ｂから入力されたマルチチャンネルのデジタルオーディオストリームデータはDSP６に入力され、DSP６により各々のチャンネルに対応したデジタルオーディオストリームデータに分離する信号処理等を施され、DAC７〜１２、増幅部１３及び出力部１４を介してスピーカ２１〜２６から出力される。
【００２４】
次に、本実施例のマルチチャンネル再生装置１において、入力端子２ａから入力されたデジタルオーディオストリームデータ（第１のオーディオ信号）と、入力端子２ｂから入力されたデジタルオーディオストリームデータ（第２のオーディオ信号）を同時に再生する入力セレクタ３及び切替スイッチ４の動作を説明する。
【００２５】
図４は、入力セレクタ３及び切替スイッチ４の動作状態を説明する図である。図４は、入力端子２ａ及び入力端子２ｂから入力されたデジタルオーディオストリームデータを同時に再生するときの、入力セレクタ３及び切替スイッチ４の動作状態を示す。
【００２６】
図４において、入力端子２ａ及び入力端子２ｂからデジタルオーディオストリームデータを入力するために、操作部１５から、入力セレクタ３及び切替スイッチ４の操作指示が入力される。制御部１６は、当該操作指示に基づいて、図４に示すように、入力セレクタ３にセレクタ３ａが入力端子２ａと切替スイッチ４を接続する制御をし、セレクタ３ｂが入力端子２ｂと生成部５を接続する制御をする。また、制御部１６は、入力セレクタ３のセレクタ３ａと生成部５を接続するように切替スイッチ４を制御する。このような制御をすることにより、入力端子２ａから入力されたデジタルオーディオストリームデータは生成部５に入力され、入力端子２ｂから入力されたデジタルオーディオストリームデータも生成部５に入力される。
【００２７】
図５は、マルチチャンネル再生装置１が備える生成部５の構成を示すブロック図である。本実施例において、生成部５は、切替スイッチ４から入力されたデジタルオーディオストリームデータと、入力セレクタ３のセレクタ３ｂから入力されたデジタルオーディオストリームデータから４チャンネルの１デジタルオーディオストリームデータを生成しDSP６へ出力する。
【００２８】
図５に示すDSP５１は、切替スイッチ４から出力されたデジタルオーディオストリームデータが２チャンネルのデジタルオーディオストリームデータの場合、入力された２チャンネルのデジタルオーディオストリームデータをRｃｈのデジタルオーディオストリームデータとLchのデジタルオーディオストリームデータに分離する信号処理を施す信号処理部である。DSP５１により分離されたRchのデジタルオーディオストリームデータ及びLchのデジタルオーディオストリームデータは、エンコーダ５３に入力される。
【００２９】
また、DSP５１は、切替スイッチ４から出力されたデジタルオーディオ信号がマルチチャンネルのデジタルオーディオストリームデータの場合、入力されたマルチチャンネルのデジタルオーディオストリームデータを２チャンネルのデジタルオーディオストリームデータにダウンミックスし、RｃｈのデジタルオーディオストリームデータとLchのデジタルオーディオストリームデータに分離する信号処理を施す。DSP５１により分離されたRchのデジタルオーディオストリームデータ及びLchのデジタルオーディオストリームデータは、エンコーダ５３に入力される。
【００３０】
DSP５２は、入力セレクタ３のセレクタ３ｂから出力されたデジタルオーディオストリームデータが２チャンネルのデジタルオーディオストリームデータの場合、入力された２チャンネルのデジタルオーディオストリームデータをRｃｈのデジタルオーディオ信号とLchのデジタルオーディオストリームデータに分離する信号処理を施す信号処理部である。DSP５２により分離されたRch及びLchのデジタルオーディオストリームデータは、エンコーダ５３に入力される。
【００３１】
また、DSP５２は、入力セレクタ３のセレクタ３ｂから出力されたデジタルオーディオストリームデータがマルチチャンネルのデジタルオーディオストリームデータの場合、入力されたマルチチャンネルのデジタルオーディオストリームデータを２チャンネルのデジタルオーディオストリームデータにダウンミックスし、RｃｈのデジタルオーディオストリームデータとLchのデジタルオーディオストリームデータに分離する信号処理を施す。DSP５２により分離されたRchのデジタルオーディオストリームデータ及びLchのデジタルオーディオストリームデータは、エンコーダ５３に入力される。
【００３２】
エンコーダ５３は、DSP５１から出力されたRｃｈのデジタルオーディオストリームデータをFRｃｈとして入力し、DSP５１から出力されたLｃｈのデジタルオーディオストリームデータをFLｃｈとして入力する。また、エンコーダ５３は、DSP５２から出力されたRｃｈのデジタルオーディオストリームデータをSRｃｈとして入力し、DSP５１から出力されたLｃｈのデジタルオーディオストリームデータをSLｃｈとして入力する。そして、エンコーダ５３は、入力された４つのデジタルオーディオストリームデータを４チャンネルの１デジタルオーディオストリームデータにエンコードし、エンコードした４チャンネルの１デジタルオーディオストリームデータをDSP６へ出力する。
【００３３】
DSP６は、入力された４チャンネルの１デジタルオーディオストリームデータをFRch、FLch、SRch及びSLchのデジタルオーディオストリームデータに分離する。FRchのデジタルオーディオストリームデータは、DAC７によりアナログオーディオ信号に変換された後、増幅部１３及び出力部１４を介して、出力端子１４ａに接続されたFRchスピーカ２１から出力される。FLchのデジタルオーディオストリームデータは、DAC８によりアナログオーディオ信号に変換された後、増幅部１３及び出力部１４を介して、出力端子１４ｂに接続されたFLchスピーカ２２から出力される。
【００３４】
SRchのデジタルオーディオストリームデータは、DAC１０によりアナログオーディオ信号に変換された後、増幅部１３及び出力部１４を介して、出力端子１４ｄに接続されたSRchスピーカ２４から出力される。SLchのデジタルオーディオストリームデータは、DAC１１によりアナログオーディオ信号に変換された後、増幅部１３及び出力部１４を介して、出力端子１４ｅに接続されたSLchスピーカ２５から出力される。
【００３５】
以上から、本実施例のマルチチャンネル再生装置１では、入力端子２ａから入力されたデジタルオーディオストリームデータは、FRchスピーカ２１及びFLchスピーカ２２から出力され、入力端子２ｂから入力されたデジタルオーディオストリームデータは、SRchスピーカ２４及びSLchスピーカ２５から出力される。
【００３６】
このため、聴取者は、FRchスピーカ２１及びFLchスピーカ２２から出力された２チャンネルのオーディオ信号と、SRchスピーカ２４及びSLchスピーカ２５から出力された２チャンネルのオーディオ信号を同時に聴取することができる。
【００３７】
または、別々の場所にFRchスピーカ２１及びFLchスピーカと、SRchスピーカ２４及びSLchスピーカ２５を設置することにより、複数の聴取者により、それぞれの場所において、異なるオーディオ信号を同時に聴取することができる。
【００３８】
上述したように、本実施例のマルチチャンネル再生装置は、音響効果等の特徴を失うような信号処理を行なわずに、２チャンネルのオーディオ信号を同時に再生することができる。
【図面の簡単な説明】
【００３９】
【図１】本実施例のマルチチャンネル再生装置の構成を示すブロック図。
【図２】入力セレクタ及び切替スイッチの動作状態を説明する図。
【図３】入力セレクタ及び切替スイッチの動作状態を説明する図。
【図４】入力セレクタ及び切替スイッチの動作状態を説明する図。
【図５】生成部の構成を示すブロック図。
【符号の説明】
【００４０】
１…マルチチャンネル再生装置、２…入力部、２a…入力端子、２ｂ…入力端子、３…入力セレクタ、４…切替スイッチ、５…生成部、６…DSP、７〜１２…DAC、１３…増幅部、１４…出力部、１４ａ〜１４ｆ…出力端子、１５…操作部、１６…制御部、２１…FRｃｈスピーカ、２２…FLｃｈスピーカ、２３…Cchスピーカ、２４…SRｃｈスピーカ、２５…SLｃｈスピーカ、２６…SWｃｈスピーカ、５１…DSP、５２…DSP、５３…エンコーダ
【図１】
2006261724.tif 000003
【図２】
2006261724.tif 000004
【図３】
2006261724.tif 000005
【図４】
2006261724.tif 000006
【図５】
2006261724.tif 000007